(57)【特許請求の範囲】
【請求項１】
コンピュータ装置と、前記コンピュータ装置とネットワーク接続され、表示制御装置を含む画像形成装置と、を備える画像形成システムであって、
前記コンピュータ装置は、前記画像形成装置で表示させるためにカスタマイズされた表示画面の画面データを、ユーザの操作により生成するパネルクリエータ部を含み、
前記画像形成装置の前記表示制御装置は、
表示画面を表示する表示部と、
前記コンピュータ装置によって前記画像形成装置で表示させるためにカスタマイズされた表示画面の画面データを、前記表示部の表示用データとして登録する登録部と、
前記登録部に登録された前記カスタマイズされた表示画面に含まれる表示対象パーツを解析する解析部と、
前記画像形成装置が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と、
前記判断部によって前記表示対象パーツの構成が前記機能情報に適合すると判断された表示画面を前記表示部に表示させ、前記判断部によって前記表示対象パーツの構成が前記機能情報に適合しないと判断された表示画面を前記表示部に表示させない表示制御部と、を含む画像形成システム。
【請求項２】
前記画像形成装置の前記表示制御装置は、前記表示対象パーツの構成が、前記判断部によって前記機能情報が示す機能に適合しないと判断された場合に、当該適合しない内容を報知させる報知制御部を更に備えた請求項１に記載の画像形成システム。
【請求項３】
前記機能情報取得部は、前記画像形成装置についてセットアップされている内容を示す機器状態情報を更に前記機能情報として取得し、
前記判断部が、前記機能情報取得部が取得した前記機器状態情報が示す前記画像形成装置のセットアップ内容に、前記カスタマイズされた表示画面に含まれる表示対象パーツの構成が適合するか否かを判断する請求項１又は２に記載の画像形成システム。
【請求項４】
表示制御装置を含む電気機器であって、
前記表示制御装置は、
表示画面を表示する表示部と、
前記電気機器で表示させるために、ユーザによりカスタマイズされた表示画面の画面データを前記表示部の表示用データとして登録する登録部と、
前記登録部に登録された前記カスタマイズされた表示画面に含まれる表示対象パーツを解析する解析部と、
前記電気機器が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と、
前記判断部によって前記表示対象パーツの構成が前記機能情報に適合すると判断された表示画面を前記表示部に表示させ、前記判断部によって前記表示対象パーツの構成が前記機能情報に適合しないと判断された表示画面を前記表示部に表示させない表示制御部と
を備えた電気機器。
【請求項５】
前記登録部は、前記カスタマイズされた表示画面の画面データを、前記表示制御装置に接続されたパーソナルコンピュータから取得して登録する請求項４に記載の電気機器。
【請求項６】
前記表示対象パーツの構成が、前記判断部によって前記機能情報が示す機能に適合しないと判断された場合に、当該適合しない内容を報知させる報知制御部を更に備えた請求項４又は請求項５に記載の電気機器。
【請求項７】
前記機能情報取得部は、前記電気機器についてセットアップされている内容を示す機器状態情報を更に前記機能情報として取得し、
前記判断部が、前記機能情報取得部が取得した前記機器状態情報が示す前記電気機器のセットアップ内容に、前記カスタマイズされた表示画面に含まれる表示対象パーツの構成が適合するか否かを判断する請求項４乃至請求項６のいずれかに記載の電気機器。
【発明の詳細な説明】
【技術分野】
【０００１】
本発明は、画像形成システム及び電気機器に関し、特に、ユーザからの指示に従ってカスタマイズされた表示画面を表示部に表示させる際の技術に関する。
【背景技術】
【０００２】
従来から、ユーザからの指示を受け付けて、当該指示が示す動作等を行う画像形成装置等の電気機器では、装置前面の操作パネルにＬＣＤ（Liquid Crystal Display）等からなる表示部が設けられ、当該表示部に配設されたタッチパネル機能により、表示部に表示される表示画面内の各操作ボタンに対応する動作実行指示をユーザから受け付ける技術が採用されている（下記特許文献１参照）。
【特許文献１】特開２００７−２３２９０８号公開公報
【発明の開示】
【発明が解決しようとする課題】
【０００３】
しかし、上記画像形成装置は、ユーザの所望通りに操作ボタン等がカスタマイズされて配置された表示画面を表示部に表示させる場合、当該表示画面に含まれる操作ボタン等が、画像形成装置の機能に適合しているか否かがわからないため、画像形成装置の機能に適合していない操作ボタン等を含む表示画面が表示部に表示されるおそれがある。
【０００４】
本発明は、上記の問題を解決するためになされたもので、ユーザの所望通りにカスタマイズされた表示画面を表示させる際に、当該表示画面が適用される画像形成装置等の電気機器の機能に適合する表示対象パーツを含む表示画面のみを表示可能にすることを目的とする。
【課題を解決するための手段】
【０００５】
本発明の第１の局面は、ユーザによりカスタマイズされた表示画面の画面データを解析するように、電気機器に内蔵されるコンピュータを機能させる表示画面解析プログラムであって、
前記ユーザによりカスタマイズされた表示画面の画面データを、当該電気機器の表示部に表示させる表示用データとして登録する登録部と、
前記登録部に登録された前記カスタマイズされた表示画面に含まれる表示対象パーツを解析する解析部と、
当該電気機器が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と
してコンピュータを機能させるものである。
【０００６】
上記構成の表示画面解析プログラムであって、前記判断部によって前記表示対象パーツの構成が前記機能情報に適合すると判断された表示画面を前記表示部に表示させる表示制御部として、更にコンピュータを機能させるものである。
【０００７】
本発明の第２の局面は、表示画面を表示する表示部と、
ユーザによりカスタマイズされた表示画面の画面データを前記表示部の表示用データとして登録する登録部と、
前記登録部に登録された前記カスタマイズされた表示画面に含まれる表示対象パーツを解析する解析部と、
当該表示制御装置が適用される電気機器が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と、
前記判断部によって前記表示対象パーツの構成が前記機能情報に適合すると判断された表示画面を前記表示部に表示させる表示制御部と
を備えた表示制御装置である。
【０００８】
これらの発明によれば、判断部が、上記表示画面に含まれる表示対象パーツの構成と、当該表示画面を表示する表示部を備える電気機器又は画像形成装置の機能とが適合するか否かを判断するので、当該判断結果を用いて、当該電気機器又は画像形成装置の機能に適合する表示対象パーツのみを有する表示画面を表示部に表示させることが可能になる。
【０００９】
上記構成の表示画面解析プログラムであって、前記登録部は、前記カスタマイズされた表示画面の画面データを、当該電気機器に接続されたパーソナルコンピュータから取得して登録するように、更にコンピュータを機能させるものである。
【００１０】
上記構成の表示制御装置であって、前記登録部は、前記カスタマイズされた表示画面の画面データを、当該表示制御装置に接続されたパーソナルコンピュータから取得して登録するものである。
【００１１】
これらの発明によれば、パーソナルコンピュータでユーザによりカスタマイズ生成された表示画面であって、当該電気機器又は画像形成装置の機能に適合する表示対象パーツのみを有する表示画面を表示部に表示させることが可能になる。
【００１２】
上記構成の表示画面解析プログラムであって、前記表示対象パーツの構成が、前記判断部によって前記機能情報が示す機能に適合しないと判断された場合に、当該適合しない内容を報知させる報知制御部と
して更にコンピュータを機能させるものである。
【００１３】
上記構成の表示制御装置であって、前記表示対象パーツの構成が、前記判断部によって前記機能情報が示す機能に適合しないと判断された場合に、当該適合しない内容を報知させる報知制御部を更に備えたものである。
【００１４】
この発明によれば、ユーザによりカスタマイズされた表示画面の表示対象パーツの構成が、判断部によって上記電気機器の機能に適合しないと判断されると、報知制御部が当該適合しない内容を報知させるので、例えば、上記表示部に当該電気機器の機能に対応していない表示対象パーツ部分を明示して表示させたり、適合しない表示対象パーツが含まれている旨を上記表示部やその他の報知機構（例えばスピーカ）に報知させることで、ユーザに対して、上記電気機器に適合しない表示対象パーツが指定されていることを把握させることができる。
【００１５】
上記構成の表示画面解析プログラムであって、前記機能情報取得部は、当該電気機器についてセットアップされている内容を示す機器状態情報を更に前記機能情報として取得し、
前記判断部が、前記機能情報取得部が取得した前記機器状態情報が示す当該電気機器のセットアップ内容に、前記カスタマイズされた表示画面に含まれる表示対象パーツの構成が適合するか否かを判断するように、
更にコンピュータを機能させるものである。
【００１６】
上記構成の表示制御装置であって、前記機能情報取得部は、当該電気機器についてセットアップされている内容を示す機器状態情報を更に前記機能情報として取得し、
前記判断部が、前記機能情報取得部が取得した前記機器状態情報が示す当該電気機器のセットアップ内容に、前記カスタマイズされた表示画面に含まれる表示対象パーツの構成が適合するか否かを判断するものである。
【００１７】
これらの発明によれば、機能情報取得部が、上記電気機器でセットアップされている内容（例えば、当該電気機器が画像形成装置の場合、給紙カセットが何段セットされているか、用紙後処理を行う後処理機構がセットされているか等、当該通信時点における機器状態情報）に、上記表示画面の表示対象パーツの構成が適合するか否かを判断部が判断するので、上記カスタマイズされた表示画面を表示部で表示するときの電気機器の具体的な性能に応じて、上記表示画面の表示対象パーツの構成が適合するか否かを正確に判断することができる。
【００１８】
本発明の第３の局面は、上記構成の表示制御装置と、
記録媒体に画像形成を行う画像形成部と
を備えた画像形成装置である。
本発明の第４の局面は、
コンピュータ装置と、前記コンピュータ装置とネットワーク接続され、表示制御装置を含む画像形成装置と、を備える画像形成システムであって、
前記コンピュータ装置は、前記画像形成装置で表示させるためにカスタマイズされた表示画面の画面データを、ユーザの操作により生成するパネルクリエータ部を含み、
前記画像形成装置の前記表示制御装置は、
表示画面を表示する表示部と、
前記コンピュータ装置によって前記画像形成装置で表示させるためにカスタマイズされた表示画面の画面データを、前記表示部の表示用データとして登録する登録部と、
前記登録部に登録された前記カスタマイズされた表示画面に含まれる表示対象パーツを解析する解析部と、
前記画像形成装置が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と、
前記判断部によって前記表示対象パーツの構成が前記機能情報に適合すると判断された表示画面を前記表示部に表示させ、前記判断部によって前記表示対象パーツの構成が前記機能情報に適合しないと判断された表示画面を前記表示部に表示させない表示制御部と、を含む画像形成システムである。
本発明の第５の局面は、
表示制御装置を含む電気機器であって、
前記表示制御装置は、
表示画面を表示する表示部と、
前記電気機器で表示させるために、ユーザによりカスタマイズされた表示画面の画面データを前記表示部の表示用データとして登録する登録部と、
前記登録部に登録された前記カスタマイズされた表示画面に含まれる表示対象パーツを解析する解析部と、
前記電気機器が実行可能な機能を示す機能情報を取得する機能情報取得部と、
前記機能情報取得部によって取得された機能情報が示す機能に、前記カスタマイズされた表示画面に含まれる表示対象パーツの構成が適合するか否かを判断する判断部と、
前記判断部によって前記表示対象パーツの構成が前記機能情報に適合すると判断された表示画面を前記表示部に表示させ、前記判断部によって前記表示対象パーツの構成が前記機能情報に適合しないと判断された表示画面を前記表示部に表示させない表示制御部と
を備えた電気機器である。
【発明の効果】
【００１９】
本発明によれば、ユーザの所望通りにカスタマイズされた表示画面を表示させる際に、当該表示画面が適用される画像形成装置等の電気機器の機能に適合する表示対象パーツを含む表示画面のみを表示することが可能になる。
【発明を実施するための最良の形態】
【００２０】
以下、本発明の一実施形態に係る表示画面解析プログラム、表示制御装置、及び画像形成装置について図面を参照して説明する。図１は本発明の一実施形態が適用された画像形成システムの一例を示すネットワーク構成を示す図である。画像形成システム１０は、少なくとも１台の複合機１と、少なくとも１台のパーソナルコンピュータ（サーバコンピュータＳＶ２及び各ＰＣ３１乃至３４の少なくとも１つ）でなる。
【００２１】
画像形成装置の一例である複合機１は、コピー機能、ファクシミリ機能、プリンタ機能、スキャナ機能等の機能を兼ね備えている。なお、複合機１における表示制御に関する各部を備える表示制御装置が、特許請求の範囲でいう表示制御装置の一例となる。さらに、複合機１は、スキャナ部で読み取った原稿の文書データを複合機１の内部記憶装置や、ＬＡＮ（local area network）等によって複合機１にネットワーク接続されたサーバコンピュータＳＶ２、各パーソナルコンピュータ（以下、ＰＣ）３１乃至３４内の記憶部等に格納すると共に、複合機１の内部記憶装置、サーバコンピュータＳＶ２及び各ＰＣ３１乃至３４内の記憶部に記憶されているプリント対象データを読み出してプリントアウトする等を行う文書管理機能を備えている。
【００２２】
さらに、複合機１には、ＬＣＤ（Liquid Crystal Display）からなる表示部５０が備えられている。また、サーバコンピュータＳＶ２又はＰＣ３１乃至３４の少なくとも１つは、複合機１の表示部５０で表示される表示画面の画面データ（以下、表示画面データという）を生成可能である。複合機１は、上記表示画面の画面データを生成可能なサーバコンピュータＳＶ２又はＰＣ３１乃至３４から、表示部５０に表示画面を表示させるために当該表示画面データを受け取って表示部５０に表示する。サーバコンピュータＳＶ２又はＰＣ３１乃至３４による上記表示画面データの生成処理、複合機１における上記表示画面を表示するための構成及び処理は後述する。
【００２３】
次に、サーバコンピュータＳＶ２、ＰＣ３１乃至３４、及び複合機１の内部構成であって、表示画面データの生成処理及び表示処理に必要な構成を説明する。図２は、ＰＣ及び複合機１について表示画面の生成処理及び表示処理に必要な構成を示す図である。なお、サーバコンピュータＳＶ２、ＰＣ３１乃至３４で表示画面の生成処理に必要な構成は同様であるため、図２にはＰＣ３１の構成を示す。
【００２４】
ＰＣ３１は、制御部３１０と、記憶部３１１とを備えている。記憶部３１１は、ＨＤＤ等からなり、表示画面生成プログラムが記憶されている。制御部３１０は、ＣＰＵ等からなり、ＰＣ３１の全体的な動作制御を司ると共に、記憶部３１１に記憶されている表示画面生成プログラムに従って動作することで、パネルクリエータ部３１２と、パネルシミュレータ部３１３と、出力部３１４として機能する。
【００２５】
パネルクリエータ部３１２は、ＰＣ３１上において、複合機１の表示部５０に表示される表示画面データを例えばXML（Extensible Markup Language）形式のScriptファイルで生成するツールである。パネルクリエータ部３１２は、パーツ指定受付部３１２１と、レイアウト指示受付部３１２２と、アクション設定部３１２３と、生成部３１２４として機能する。
【００２６】
パーツ指定受付部３１２１は、上記表示画面内に表示させる例えば操作ボタン、アイコン、文字列等の表示対象パーツの指定をＰＣ３１に備えられる図略の操作部（マウス又はキーボード等）を介してユーザから受け付ける。パーツ指定受付部３１２１は、ユーザが指定可能な複数の表示対象パーツの画像データを予め保有している。例えば、ユーザにより上記操作部に表示画面生成開始指示が入力されると、パーツ指定受付部３１２１は、ＰＣ３１に備えられるＬＣＤ等のディスプレイに、上記保有している表示対象パーツを表示させ、当該表示中の表示対象パーツからユーザ所望の表示対象パーツが操作部の操作でユーザにより指定されると、当該指定された表示対象パーツの指定を受け付けるようになっている。
【００２７】
レイアウト指示受付部３１２２は、パーツ指定受付部３１２１で指定された表示対象パーツについての表示画面内での配置を指示するレイアウト指示をユーザから受け付ける。例えば、レイアウト指示受付部３１２２は、ＰＣ３１に備えられるディスプレイに、上記表示画面の背景画像を擬似的に表示させ、当該背景画像中における任意の箇所がユーザにより上記操作部を用いて指定されると、当該指定された箇所を上記指定された表示対象パーツの配置箇所として受け付けるようになっている。
【００２８】
アクション設定部３１２３は、パーツ指定受付部３１２１で指定された表示対象パーツに対して、当該表示対象パーツに対応するアクションを関連付けて設定する。すなわち、パーツ指定受付部３１２１では、表示画面内に配置する表示対象パーツの種類がユーザにより指定されるが、アクション設定部３１２３は、当該指定された表示対象パーツに対して、当該表示対象パーツに対応する複合機１の動作を関連付けて設定する。例えば、アクション設定部３１２３は、「原稿サイズA3ボタン」という表示対象パーツがユーザにより指定された場合には、当該「原稿サイズA3ボタン」について予め対応付けられているアクションとして、「原稿サイズA3の記録用紙が格納されている給紙カセットから記録用紙を給紙させる指示を受け付ける動作」を「原稿サイズA3ボタン」に関連付けて設定する。
【００２９】
生成部３１２４は、パーツ指定受付部３１２１での上記表示対象パーツ指定、レイアウト指示受付部３１２２での上記レイアウト指示、及びアクション設定部３１２３での上記アクション設定で定められた内容で表示画面を生成する処理を行う。すなわち、ユーザは、パーツ指定受付部３１２１での上記表示対象パーツ指定、レイアウト指示受付部３１２２での上記レイアウト指示、及びアクション設定部３１２３でのアクション設定を行うと、生成部３１２４による表示画面生成処理により、複合機１の表示部５０に表示させる表示画面を所望通りにカスタマイズして作成することができる。本実施形態では、生成部３１２４は、XML形式でScriptファイルに表示画面データをエクスポートする。
【００３０】
パネルシミュレータ部３１３は、ＰＣ３１上にて、パネルクリエータ部３１２によってエクスポートされた上記Scriptファイルでなる表示画面データを読み込んで内容を解析し、ＰＣ３１に備えられるディスプレイでの表示を可能にするためにHTML形式のデータに変換を行い、当該HTML形式の表示画面ファイルをＰＣ３１上のブラウザに表示するツールである。
【００３１】
出力部３１４は、生成部３１２４によって生成された上記Scriptファイルでなる表示画面データを、ＬＡＮ等を介して複合機１に対して出力する。
【００３２】
一方、複合機１は、コントローラ１１と、記憶部１２と、プラットフォーム１３と、拡張アプリケーション１５と、ブラウザ１６とを備えている。コントローラ１１は、複合機１の全体的な動作制御を司る。コントローラ１１は、ファームウェアとして備えられ、複合機１が有するスキャンデータ送信、印刷、データアクセス、システム設定、ネットワーク通信、JOB制御、データ登録などの基本機能を実行する。
【００３３】
プラットフォーム１３は、API（Application Program Interface）拡張アプリケーション１５が動作するための基盤である。プラットフォーム１３は、コントローラ１１とAPIとを中継する責務も持つ。
【００３４】
APIは、コントローラ１１によって実行される複合機１の上記基本機能をファームウェア以外から実行するインタフェイスである。APIは、プラットフォーム１３を通じて、ファームウェア内のコントローラ１１にアクセスして複合機１の上記基本機能を実行する。なお、複合機１の例えばスキャナ機能を実行するためには、拡張アプリケーション１５がスキャナ機能APIを呼び出す。
【００３５】
拡張アプリケーション１５は、複合機１に標準で搭載されるファームウェアではなく、後から追加インストール可能なアプリケーションである。拡張アプリケーション１５は、主にScript Interpreter １５１と、Business Logic１５２と、登録部１５３とで構成される。
【００３６】
登録部１５３は、ＰＣ３１の出力部３１４から送られてきた（或いは、外部メモリから読み出した）上記Scriptファイルの表示画面データを、表示部５０での表示用データとして登録し、記憶部１２に記憶させる。なお、本実施形態では、表示画面のデータファイルとしてXML形式のScriptファイルを使用するが、システム構成上は、XML形式以外の他のマークアップ言語であっても構わない。
【００３７】
Script Interpreter （解析部）１５１は、登録部１５３により記憶部１２に登録された上記表示画面データであるScriptファイルを読み込んで内容を解析する。
【００３８】
また、Script Interpreter １５１は、機能情報取得部１５１１と、判断部１５１２と、報知制御部１５１３としても機能する。機能情報取得部１５１１は、当該複合機１が実行可能な機能を示す機能情報をコントローラ１１から取得する。判断部１５１２は、機能情報取得部１５１１によって取得された機能情報が示す機能に、登録部１５３によって記憶部１２に登録された前記表示画面に含まれる表示対象パーツの構成が適合するか否かを判断する。報知制御部１５１３は、上記表示対象パーツの構成が、判断部１５１２によって上記機能情報が示す機能に適合しないと判断された場合に、当該適合しない内容を報知させる。
【００３９】
例えば、判断部１５１２は、複合機１で実行される予め定められた基本的機能（コピー機能、スキャン機能、濃度設定機能、用紙サイズ設定機能、解像度設定機能等）と、当該複合機１の表示部５０で表示される表示画面について予め定められた基本ルール（例えば、スキャン動作実行指示を受け付ける表示対象パーツである「スタートボタン」は表示画面中に１つのみ配置される等）を、機能情報取得部１５１１を介してコントローラ１１から取得して、パネルクリエータ部３１２で生成された上記表示画面に配置された表示対象パーツの構成が、当該複合機１の基本的機能及び基本ルールに適合するか否かを判断する。当該複合機１の基本的機能及び基本ルールが特許請求の範囲でいう電気機器の機能の一例である。
【００４０】
また、例えば、判断部１５１２は、当該複合機１が、給紙カセットが何段セットされているか、用紙後処理を行う後処理機構がセットされているか、600dpi×600dpiのスキャン能力を持っているか等、当該通信時点における複合機１のスペックを示す機器状態情報を、機能情報取得部１５１１を介してコントローラ１１から取得し、当該機器状態情報が示す当該複合機１のセットアップ内容に、上記Scriptファイルが示す表示画面に含まれる表示対象パーツの構成が矛盾するか否かを判断する。
【００４１】
さらに、Script Interpreter １５１は、表示部５０に表示画面を表示するためのHTML変換処理と、表示画面内に配置された操作ボタン等の表示対象パーツに関連付けられたアクションを実行するためのBusiness Logic１５２への展開処理とを行う。Script Interpreter １５１は、上記表示用にHTML変換処理を行ったデータは、APIを介してブラウザ１６に渡す。
【００４２】
Business Logic１５２は、上記Scriptファイルの解析によりScript Interpreter１５１で展開されて当該Script Interpreter１５１から渡された情報（表示対象パーツに関連付けられたアクションを示す情報）を基にアクション（複合機１の動作）を制御する。すなわち、Business Logic１５２は、ブラウザ１６により表示部５０に表示された表示画面に表示されている操作ボタン等の表示対象パーツがユーザにより操作されると、上記Script Interpreter１５１から渡された情報を基に、当該操作された表示対象パーツに関連付けられたアクションを解析し、解析した例えばスキャナ機能を実行するために、スキャナ送信APIを呼び出す。
【００４３】
記憶部１２は、ＨＤＤ等からなり、コントローラ１１として動作させるための動作制御プログラム、拡張アプリケーション１５のプログラム等を含む表示画面解析プログラム、ブラウザ１６のプログラム等が記憶されている。複合機１の中央制御部であるＣＰＵが、記憶部１２に記憶されている各プログラムに従って動作することで、コントローラ１１、拡張アプリケーション１５、及びブラウザ１６等として機能する。また、記憶部１２は、上記登録された表示画面データであるScriptファイルも記憶する。
【００４４】
ブラウザ１６は、Web Browserであり、Script Interpreter １５１によってHTML変換処理が行われた上記Scriptファイル（ＰＣ３１から送られてきた表示画面データ）を表示部５０に表示させる。ブラウザ１６は、本実施形態では、拡張アプリケーション１５で変換されたHTML変換処理後のファイルが示す画面構成に合わせて表示画面を表示部５０に表示し、また、当該表示画面の表示中に、ユーザからの指示入力操作を表示部５０のタッチパネル機能を介して受け付けるインタフェースとなる。
【００４５】
次に、パネルクリエータ部３１２による表示画面生成及び複合機１への出力処理を説明する。図３はパネルクリエータ部３１２による表示画面生成及び複合機１への出力処理を示すフローチャートである。図４は（ａ）（ｂ）は表示部５０に表示される表示画面の一例を示す図、（ｃ）はパネルクリエータ部３１２による生成処理で作成された表示画面の例を示す図である。図５はカスタマイズ受付画面の一例を示す図である。
【００４６】
例えば、図４（ａ）に示すように、複合機１の表示部５０には、複合機１の電源オン時又は、操作パネル上の図略のアプリケーションキー（例えばハードキー）をユーザが押下したときに、コントローラ１１による制御で表示部５０に第１表示画面５１が表示される。第１表示画面５１で例えば「簡単スキャン」ボタン５１１をユーザが押下すると、コントローラ１１は、拡張アプリケーション１５を起動させる。拡張アプリケーション１５のBusiness Logic１５２は、例えば、図４（ｂ）に示すワークフロー選択画面５２に表示部５０の表示を遷移させる。当該ワークフロー選択画面５２において、ユーザにより「紹介状」ボタン５２１が選択され、「詳細」ボタン５２２が押下されると、Business Logic１５２は、「紹介状」ボタン５２１に対応するワークフローの設定を行うための詳細設定画面５３に表示部５０の表示を遷移させる。例えば、拡張アプリケーション１５（Script Interpreter １５１等）が、図４（ｂ）に示されるような表示画面の画面テンプレート、ボタンテンプレート及び文字列データを複数持っており、ユーザによりカスタマイズされてなる上記Scriptファイルを解析し、Scriptファイルが示す画面内で表示させるキーの個数に応じて、図４（ｃ）に示す詳細設定画面５３のように、持っている画面テンプレート等のデータを用いて、画面やボタンに文字列を当てはめて表示する。
【００４７】
パネルクリエータ部３１２では、例えば、当該詳細設定画面５３を構成する装置ボタン等の各表示対象パーツのカスタマイズをユーザから受け付けて表示画面を生成する処理を行う。
【００４８】
ユーザは、当該表示画面の生成処理を行う場合、例えば、ＰＣ３１の操作部（図略）を操作して、パネルクリエータ部３１２を起動させる。当該パネルクリエータ部３１２の起動により、ＰＣ３１の制御部３１０は、ディスプレイに、図５に示すようなカスタマイズ受付画面５４を表示させる（Ｓ１）。
【００４９】
ユーザが当該カスタマイズ受付画面５４において、マウス等の操作指示入力部を操作して、選択可能な表示対象パーツとして表示されている複数の操作ボタン５４１〜５５５やメッセージ表示５５６〜５６２の中から、所望の操作ボタン又はメッセージ表示を押下して所望の操作ボタン又はメッセージ表示を選択して指定すると、パーツ指定受付部３１２１は、当該選択された操作ボタン又はメッセージ表示を、表示画面（すなわち、複合機１の表示部５０に表示させる表示画面）に表示させる表示対象パーツとして受け付ける。更に、ユーザが、マウスのドラッグアンドドロップ操作を行って、当該選択された操作ボタン又はメッセージ表示を、カスタマイズ受付画面５４に表示されているデフォルト画面５７０内の所望の位置にドラッグさせると、当該位置に上記選択された操作ボタン等を配置するレイアウト指示がレイアウト指示受付部３１２２に受け付けられる（Ｓ２）。
【００５０】
続いて、アクション設定部３１２３は、上記のようにしてユーザから指定及び配置が指示された各表示対象パーツに対応するアクション（すなわち、複合機１で実行される各動作についての実行指示の受付）を、内蔵する記憶領域から読み出し、選択された各表示対象パーツに関連付けて設定する（Ｓ３）。例えば、ユーザが、解像度の「600×600dpi」ボタン５４１を指定した場合は、アクション設定部３１２３は、「600×600dpi」ボタン５４１に、スキャン動作時にスキャナ部に600×600dpiの解像度で原稿を読み取らせる動作についての実行指示の入力というアクションを割り当てる。或いは、「もどる」ボタン５５４が指定された場合は、図４（ｂ）のワークフロー選択画面５２に表示部５０の表示を遷移させる指示の入力を割り当てて設定する。このように、各表示対象パーツには、それぞれ対応するアクションが予め記憶されており、アクション設定部３１２３によって、対応する個別のアクションが割り当てられる。
【００５１】
上記Ｓ２及びＳ３の処理は、ユーザが、デフォルト画面５７０内に表示させたい表示対象パーツボタンの指定及び配置を行い、カスタマイズ受付画面５４内の確定ボタン５８をマウス等によりクリックし、ユーザからの当該指定及び配置の終了指示が入力されるまで各表示対象パーツについて実行される（Ｓ４）。
【００５２】
ユーザによる上記表示対象パーツの指定及び配置が終了すると（Ｓ４でＹＥＳ）、生成部３１２４が上記表示対象パーツ指定、前記レイアウト指示、及び前記アクション設定によって定められた内容で、上記表示画面データをScriptファイルで生成する（Ｓ５）。このとき、パネルシミュレータ部３１３は、パネルクリエータ部３１２によってエクスポートされた上記Scriptファイルのデータを読み込んで内容を解析し、ＰＣ３１のディスプレイでの表示を可能にするためにHTML形式のデータに変換を行う。
【００５３】
この後、出力部３１４は、パネルクリエータ部３１２によって生成された上記Scriptファイルでなる表示画面データを、上記ＬＡＮ等を介した通信方式で複合機１に対して送信する（Ｓ６）。
【００５４】
次に、複合機１における上記表示画面データの登録処理を説明する。図６は複合機１における上記表示画面データの登録処理を示すフローチャートである。
【００５５】
複合機１の登録部１５３は、上記Scriptファイルにエクスポートされた表示画面データがＰＣ３１から送信されてきたか否かを判断する（Ｓ７１）。ここで、登録部１５３が、ＬＡＮ等を介して上記表示画面データを受信すると（Ｓ７１でＹＥＳ）、受信した表示画面データを、表示部５０での表示用データとして登録して記憶部１２に記憶させる（Ｓ７２）。
【００５６】
次に、複合機１における、上記ＰＣ３１で生成された表示画面の表示部５０での表示処理、及びユーザからの動作実行指示の受付処理を説明する。図７は複合機１における、上記ＰＣ３１で生成された表示画面の表示部５０での表示処理、及びユーザからの動作実行指示の受付処理を示すフローチャートである。
【００５７】
例えば、ユーザにより、図４（ｂ）に示したワークフロー選択画面５２から次の階層に表示画面を遷移させる指示が入力されたとき、Script Interpreter １５１は、記憶部１２から、上記表示画面データであるScriptファイルを読み出す（Ｓ１２）。なお、Script Interpreter １５１は、記憶部１２に上記表示画面データであるScriptファイルが複数存在する場合は、それまで表示していた表示画面の遷移先の画面として登録されているScriptファイルを読み出す。
【００５８】
そして、Script Interpreter １５１は、機能情報取得部１５１１及び判断部１５１２により、当該読み出したScriptファイルが示す表示画面に含まれる表示対象パーツが、当該複合機１が有する機能に適合するか否かを判断する（Ｓ１３）。
【００５９】
ここで、判断部１５１２により、当該表示画面に含まれる表示対象パーツが、複合機１の機能に適合しないと判断された場合には（Ｓ１４でＮＯ）、処理を終了する。すなわち、登録部１５３によって登録されている当該Scriptファイルが示す表示画面は、表示部５０には表示されない。
【００６０】
一方、判断部１５１２により、当該表示画面に含まれる表示対象パーツが、複合機１の機能に適合すると判断された場合には（Ｓ１４でＹＥＳ）、Script Interpreter １５１は、表示部５０に表示画面を表示するためのHTML変換処理と、表示画面内に配置された操作ボタン等の表示対象パーツに関連付けられたアクションを実行するためのBusiness Logic１５２への展開処理とを行う（Ｓ１５）。
【００６１】
続いて、Business Logic１５２は、Script Interpreter １５１から得た上記HTML変換処理後のデータを表示部５０での表示が可能となるように解析し、ブラウザ１６に渡す（Ｓ１６）。
【００６２】
ブラウザ１６は、Business Logic１５２から受け取った上記表示用データを表示部５０に表示させる（Ｓ１７）。これにより、表示部５０に、ＰＣ３１のパネルクリエータ部３１２で生成された表示画面（例えば図４（ｃ）に示した表示画面５３）が表示される。この点で、Script Interpreter １５１、Business Logic１５２、ブラウザ１６、及びコントローラ１１が特許請求の範囲の表示制御部として機能する。
【００６３】
このブラウザ１６による上記表示画面の表示中に、ユーザによるタッチパネル機能を利用した操作で、例えば図４（ｃ）に示した表示画面５３のいずれかの表示ボタンが押下され、ユーザから動作実行指示が入力されると（Ｓ１８でＹＥＳ）、Business Logic１５２は、上記Script Interpreter１５１から渡された情報を基に、当該操作された表示ボタンに関連付けられたアクションを解析する（Ｓ１９）。例えば、Business Logic１５２は、表示画面５３の「600×600dpi」ボタン５４１がユーザにより押下されると、当該「600×600dpi」ボタン５４１に対応する機能動作が、スキャン動作時にスキャナ部に600×600dpiの解像度で原稿を読み取らせる動作についての実行指示の入力であることを、Script Interpreter１５１から渡された情報を基に解析する。
【００６４】
続いて、Business Logic１５２は、上記解析した機能を実行するために、当該機能に対応するAPIを呼び出し、コントローラ１１に上記解析した機能を実行させる（Ｓ２０）。例えば、Business Logic１５２は、表示画面５３の表示中に、「600×600dpi」ボタン５４１がユーザにより押下されると、当該「600×600dpi」ボタン５３１に対応する機能動作が、スキャン動作時にスキャナ部に600×600dpiの解像度で原稿を読み取らせる動作についての実行指示の入力であることを、Script Interpreter１５１から渡された情報を基に解析し、当該「スキャナ部に600×600dpiの解像度で原稿を読み取らせる動作についての実行指示の入力」を受け付ける。そして、Business Logic１５２は、「スキャナ部に600×600dpiの解像度で原稿を読み取らせる動作」を実行するために、「スキャナ部に600×600dpiの解像度で原稿を読み取らせる動作」に対応するAPIを呼び出す。
【００６５】
コントローラ１１は、上記APIに従って、指示された動作を実行する（Ｓ２１）。例えば、コントローラ１１は、「スキャナ部に600×600dpiの解像度で原稿を読み取らせる動作」を実行する。すなわち、Business Logic１５２がAPIを介してコントローラ１１にスキャナ部に600×600dpiの解像度で原稿を読み取らせることを設定する。
【００６６】
次に、上記表示画面に含まれる表示対象パーツについてのScript Interpreter １５１による適合性判断処理の第１実施形態を詳細に説明する。図８は表示画面に含まれる表示対象パーツについてのScript Interpreter １５１による適合性判断処理の第１実施形態を示すフローチャートである。
【００６７】
上述したように、ユーザにより、図４（ｂ）に示したワークフロー選択画面５２から次の階層に表示画面を遷移させる指示が入力され、Script Interpreter １５１は、上記表示画面の遷移先の画面として登録されているScriptファイルを読み出して解析する（Ｓ３１）。このとき、Script Interpreter １５１の機能情報取得部１５１１は、当該複合機１が実行可能な機能を示す機能情報をコントローラ１１から取得する。
【００６８】
続いて、判断部１５１２は、解析したScriptファイルの内容と、機能情報取得部１５１１によって取得された機能情報とを比較する。すなわち、判断部１５１２は、機能情報取得部１５１１によって取得された当該機能情報が示す機能に、上記Scriptファイルが示す表示画面に含まれる表示対象パーツの構成が適合するか否かを判断する（Ｓ３２）。例えば、機能情報取得部１５１１は、当該複合機１の機能情報を、コントローラ１１から取得し、判断部１５１２は、当該取得された機能情報に基づいて、当該複合機１が、上記表示画面で配置されている表示対象パーツに設定されているアクションを実行する機能を備えているか否かを判断する。
【００６９】
判断部１５１２によって、複合機１が上記表示画面に配置されている表示対象パーツに設定されているアクションを実行する機能を備えていない、すなわち、上記表示画面の表示対象パーツの構成が、当該複合機１の機能に矛盾すると判断された場合は（Ｓ３３でＮＯ）、報知制御部１５１３は、当該適合しない内容（例えば、当該指定された複合機１がファクシミリ機能を備えていない場合に、当該備えていないファクシミリ機能の実行指示を受け付ける「ファクシミリスタートボタン」が表示画面中に配置されている旨等）を、Business Logic１５２及びブラウザ１６を介して、表示部５０に表示させたり、図略のスピーカに音声で報知させる等の制御を行う（Ｓ３４）。この点で、Script Interpreter １５１、Business Logic１５２、ブラウザ１６、及びコントローラ１１が特許請求の範囲の表示制御部として機能する。これにより、ユーザに対して再度表示画面を編集変更することが促される。
【００７０】
また、判断部１５１２が、上記表示画面の表示対象パーツの構成が、当該複合機１の機能に矛盾しないと判断した場合は（Ｓ３３でＹＥＳ）、当該適合性判断の処理を終了する。
【００７１】
次に、上記表示画面に含まれる表示対象パーツについてのScript Interpreter １５１による適合性判断処理の第２実施形態を説明する。図９は表示画面に含まれる表示対象パーツについてのScript Interpreter １５１による適合性判断処理の第２実施形態を示すフローチャートである。第１実施形態と同様の処理は、詳細な説明を省略する。
【００７２】
第２実施形態では、Scriptファイルの解析時に、機能情報取得部１５１１がコントローラ１１から当該複合機１の機能情報を得るとき、機能情報取得部１５１１は、上述した複合機１が実行可能な機能を示す機能情報に加えて、更に、この時点において当該複合機１にセットアップされているスペックを示す機器状態情報も、上記機能情報として、コントローラ１１から取得する（Ｓ５１）。例えば、当該複合機１が、給紙カセットが何段セットされているか、用紙後処理を行う後処理機構がセットされているか等、当該通信時点における複合機１のスペックを示す機器状態情報を、機能情報取得部１５１１がコントローラ１１から取得する。複合機１には、例えば、コントローラ１１のメモリ領域に当該機器状態情報が記憶保持されており、当該コントローラ１１が機能情報取得部１５１１に当該機器状態情報を出力する。
【００７３】
そして、判断部１５１２は、上記機器状態情報を含む機能情報が示す当該複合機１の機能及びセットアップ内容に、上記Scriptファイルが示す表示画面に含まれる表示対象パーツの構成が矛盾するか否かを判断する（Ｓ５２）。
【００７４】
判断部１５１２によって、複合機１が上記表示画面に配置されている表示対象パーツに設定されているアクションを実行する機能及びセットアップ内容を備えていない、すなわち、上記表示画面の表示対象パーツの構成が、当該複合機１の機能及びセットアップ内容に矛盾すると判断された場合は（Ｓ５３でＮＯ）、第１実施形態と同様に、セットアップ内容と矛盾している表示対象パーツの指摘等を、Business Logic１５２及びブラウザ１６を介して、表示部５０に表示させたり、図略のスピーカに音声で報知させる等の制御を行う（Ｓ５４）。
【００７５】
なお、本発明は上記実施の形態の構成に限られず種々の変形が可能である。例えば、上記実施形態では、ＰＣ３１のパネルクリエータ部３１２及びパネルシミュレータ部３１３で生成された表示画面は複合機１で表示されるとして説明しているが、当該生成された表示画面は複合機１での表示に限定されるものではなく、他の電気機器での表示にも適用可能である。
【００７６】
また、本発明の範囲は上記に示した各実施形態に限定されるものではなく、発明の主旨を逸脱しない範囲で種々の変更を加えて実施することができる。上記実施形態では、本発明の実施形態の構成及び処理を図１乃至図９に示しているが、当該構成及び処理は本発明の実施形態の単なる一例に過ぎない。
【図面の簡単な説明】
【００７７】
【図１】本発明の一実施形態が適用された画像形成システムの一例を示すネットワーク構成を示す図である。
【図２】ＰＣ及び複合機について表示画面の生成処理及び表示処理に必要な構成を示す図である。
【図３】パネルクリエータ部による表示画面生成及び複合機１への出力処理を示すフローチャートである。
【図４】（ａ）（ｂ）は表示部に表示される表示画面の一例を示す図、（ｃ）はパネルクリエータ部による生成処理で作成された表示画面の例を示す図である。
【図５】カスタマイズ受付画面の一例を示す図である。
【図６】複合機における上記表示画面データの登録処理を示すフローチャートである。
【図７】複合機における、ＰＣで生成された表示画面の表示部での表示処理、及びユーザからの動作実行指示の受付処理を示すフローチャートである。
【図８】表示画面に含まれる表示対象パーツについてのScript Interpreterによる適合性判断処理の第１実施形態を示すフローチャートである。
【図９】表示画面に含まれる表示対象パーツについてのScript Interpreter による適合性判断処理の第２実施形態を示すフローチャートである。
【符号の説明】
【００７８】
１ 複合機
１０ 画像形成システム
１１ コントローラ
１２ 記憶部
１３ プラットフォーム
１５ 拡張アプリケーション
１５１ Script Interpreter 
１５１１ 機能情報取得部
１５１２ 判断部
１５１３ 報知制御部
１５２ Business Logic
１５３ 登録部
１６ ブラウザ
５０ 表示部
３１ ＰＣ
３１０ 制御部
３１１ 記憶部
３１２ パネルクリエータ部
３１２１ パーツ指定受付部
３１２２ レイアウト指示受付部
３１２３ アクション設定部
３１２４ 生成部
３１３ パネルシミュレータ部
３１４ 出力部
ＳＶ２ サーバコンピュータ
【図１】
0005103291.tif 000002
【図２】
0005103291.tif 000003
【図３】
0005103291.tif 000004
【図４】
0005103291.tif 000005
【図５】
0005103291.tif 000006
【図６】
0005103291.tif 000007
【図７】
0005103291.tif 000008
【図８】
0005103291.tif 000009
【図９】
0005103291.tif 000010